(57)【特許請求の範囲】
【請求項１】
ワイヤレスネットワーク上で2つ以上のアップリンクキャリア信号を生成するステップと、
前記ワイヤレスネットワークのための少なくとも1つのアクティブ信号セットを生成するステップと、
前記ワイヤレスネットワーク上で通信を可能にするために前記2つ以上のアップリンクキャリア信号に従って1つまたは複数の2次アクティブ信号セットを生成するステップと、
アンカーベースイベントである1つまたは複数のモビリティイベントを生成するステップ、あるいはキャリアごとに1つまたは複数の独立したモビリティイベントを生成するステップと、
セクタがアクティブ信号セットまたはアクティブE-DCHセットに追加されるかまたはそこから削除されたとき、同じセクタを2次アクティブセットまたは2次E-DCHアクティブセットに追加するかまたはそこから削除するステップと
を含む、ワイヤレス通信方法。
【請求項２】
前記アップリンクキャリア信号が高速アップリンクパケットアクセスプロトコルに従って生成される、請求項1に記載の方法。
【請求項３】
前記2次アクティブ信号セットが拡張専用チャネル(E-DCH)を含む、請求項1に記載の方法。
【請求項４】
前記2次アクティブ信号セットが、フラクショナル専用物理チャネル(F-DPCH)を用いて2次アップリンクキャリア上でセルのために生成される、請求項3に記載の方法。
【請求項５】
拡張ハイブリッドARQインジケータチャネル(E-HICH)を用いて2次アップリンクキャリア上でセルのために2次E-DCHアクティブセットを生成するステップをさらに含む、請求項4に記載の方法。
【請求項６】
前記アクティブ信号セット中の1つまたは複数のセクタと同様にしてあるいはそのサブセットとして2次アクティブ信号セットを生成するステップをさらに含む、請求項1に記載の方法。
【請求項７】
請求項1の前記2次アクティブ信号セットと同様にして2次E-DCHアクティブセットを生成するステップをさらに含む、請求項6に記載の方法。
【請求項８】
E-DCHアクティブセット中の1つまたは複数のセクタと同様にしてあるいはそのサブセットとして前記2次E-DCHアクティブセット中の1つまたは複数のセクタを生成するステップをさらに含む、請求項7に記載の方法。
【請求項９】
2次アップリンクキャリアのための電力制御ビットを生成するステップと、2次アクティブセット中のすべてのセルに前記電力制御ビットを適用するステップとをさらに含む、請求項1に記載の方法。
【請求項１０】
アンカーキャリアを変更するためにイベント2aを採用するステップをさらに含む、請求項1に記載の方法。
【請求項１１】
キャリア間のスムーズなハンドオーバを生成するステップをさらに含む、請求項1に記載の方法。
【請求項１２】
パイロットチップ受信エネルギー対雑音全干渉パラメータ(Ecp/Nt)に基づいて1つまたは複数の電力制御ビットを処理するステップをさらに含む、請求項11に記載の方法。
【請求項１３】
ワイヤレスネットワーク上で2つ以上のアップリンクキャリア信号を生成し、前記ワイヤレスネットワークのための少なくとも1つのアクティブ信号セットを符号化し、前記ワイヤレスネットワーク上で通信を可能にするために前記2つ以上のアップリンクキャリア信号に従って1つまたは複数の2次アクティブ信号セットを符号化し、アンカーベースイベントである1つまたは複数のモビリティイベントを生成するか、あるいはキャリアごとに1つまたは複数の独立したモビリティイベントを生成し、セクタがアクティブ信号セットまたはアクティブE-DCHセットに追加されるかまたはそこから削除されたとき、同じセクタを2次アクティブセットまたは2次E-DCHアクティブセットに追加するかまたはそこから削除するための命令を保持するメモリと、
前記命令を実行するプロセッサと
を含む、通信装置。
【請求項１４】
前記2次アクティブ信号セットが拡張専用チャネル(E-DCH)を含む、請求項13に記載の通信装置。
【請求項１５】
前記2次アクティブ信号セットが、フラクショナル専用物理チャネル(F-DPCH)を用いて2次アップリンクキャリア上でセルのために生成される、請求項14に記載の通信装置。
【請求項１６】
拡張ハイブリッドARQインジケータチャネル(E-HICH)を用いて2次アップリンクキャリア上でセルのために2次E-DCHアクティブセットを生成するための命令をさらに含む、請求項15に記載の通信装置。
【請求項１７】
前記アクティブ信号セット中の1つまたは複数のセクタと同様にしてあるいはそのサブセットとして2次アクティブ信号セットを生成するための命令をさらに含む、請求項13に記載の通信装置。
【請求項１８】
請求項15の前記2次アクティブ信号セットと同様にして2次E-DCHアクティブセットを生成するための命令をさらに含む、請求項17に記載の通信装置。
【請求項１９】
E-DCHアクティブセット中の1つまたは複数のセクタと同様にしてあるいはそのサブセットとして前記2次E-DCHアクティブセット中の1つまたは複数のセクタを生成するための命令をさらに含む、請求項18に記載の通信装置。
【請求項２０】
ワイヤレスネットワーク上で2つ以上のアップリンクキャリア信号を生成するための手段と、
前記ワイヤレスネットワークのための少なくとも1つのアクティブ信号セットを符号化するための手段と、
前記ワイヤレスネットワーク上で通信を可能にするために前記2つ以上のアップリンクキャリア信号に従って1つまたは複数の2次アクティブ信号セットを通信するための手段と、
アンカーベースイベントである1つまたは複数のモビリティイベントを生成するか、あるいはキャリアごとに1つまたは複数の独立したモビリティイベントを生成するための手段と、
セクタがアクティブ信号セットまたはアクティブE-DCHセットに追加されるかまたはそこから削除されたとき、同じセクタを2次アクティブセットまたは2次E-DCHアクティブセットに追加するかまたはそこから削除するための手段と
を含む、通信装置。
【請求項２１】
前記2次アクティブ信号セットが拡張専用チャネル(E-DCH)を含む、請求項20に記載の通信装置。
【請求項２２】
マルチキャリア演算のためのコードを含むコンピュータ可読媒体であって、前記コードが、
ワイヤレスネットワーク上で2つ以上のアップリンクキャリア信号を送信することをコンピュータに行わせるためのコードと、
前記ワイヤレスネットワークのための少なくとも1つのアクティブ信号セットを生成することをコンピュータに行わせるためのコードと、
前記ワイヤレスネットワーク上で通信を可能にするために前記2つ以上のアップリンクキャリア信号に従って1つまたは複数の2次アクティブ信号セットを符号化することをコンピュータに行わせるためのコードと、
アンカーベースイベントである1つまたは複数のモビリティイベントを生成すること、あるいはキャリアごとに1つまたは複数の独立したモビリティイベントを生成することをコンピュータに行わせるためのコードと、
セクタがアクティブ信号セットまたはアクティブE-DCHセットに追加されるかまたはそこから削除されたとき、同じセクタを2次アクティブセットまたは2次E-DCHアクティブセットに追加するかまたはそこから削除することをコンピュータに行わせるためのコードと
を含む、コンピュータ可読媒体。
【請求項２３】
前記2次アクティブ信号セットが拡張専用チャネル(E-DCH)を含む、請求項22に記載のコンピュータ可読媒体。
【請求項２４】
ワイヤレスネットワーク上で2つ以上のアップリンクキャリア信号を受信するステップと、
前記ワイヤレスネットワークのための少なくとも1つのアクティブ信号セットを処理するステップと、
前記ワイヤレスネットワーク上で通信を可能にするために前記2つ以上のアップリンクキャリア信号に従って1つまたは複数の2次アクティブ信号セットを処理するステップと、
アンカーベースイベントである1つまたは複数のモビリティイベントを生成するステップと、
セクタがアクティブ信号セットまたはアクティブE-DCHセットに追加されるかまたはそこから削除されたとき、同じセクタを2次アクティブセットまたは2次E-DCHアクティブセットに追加するかまたはそこから削除するステップと
を含む、ワイヤレス通信方法。
【請求項２５】
前記2次アクティブ信号セットが拡張専用チャネル(E-DCH)を含む、請求項24に記載の方法。
【請求項２６】
前記2次アクティブ信号セットが、フラクショナル専用物理チャネル(F-DPCH)を用いて2次アップリンクキャリア上でセルのために生成される、請求項25に記載の方法。
【請求項２７】
拡張ハイブリッドARQインジケータチャネル(E-HICH)を用いて2次アップリンクキャリア上でセルのために2次E-DCHアクティブセットを生成するステップをさらに含む、請求項26に記載の方法。
【請求項２８】
前記アクティブ信号セット中の1つまたは複数のセクタと同様にしてあるいはそのサブセットとして2次アクティブ信号セットを生成するステップをさらに含む、請求項24に記載の方法。
【請求項２９】
キャリア間のスムーズなハンドオーバを生成するステップをさらに含む、請求項24に記載の方法。
【請求項３０】
ワイヤレスネットワーク上で2つ以上のアップリンクキャリア信号を処理し、前記ワイヤレスネットワークのための少なくとも1つのアクティブ信号セットを復号し、前記ワイヤレスネットワーク上で通信を可能にするために前記2つ以上のアップリンクキャリア信号に従って1つまたは複数の2次アクティブ信号セットを復号し、アンカーベースイベントである1つまたは複数のモビリティイベントを生成するか、あるいはキャリアごとに1つまたは複数の独立したモビリティイベントを生成し、セクタがアクティブ信号セットまたはアクティブE-DCHセットに追加されるかまたはそこから削除されたとき、同じセクタを2次アクティブセットまたは2次E-DCHアクティブセットに追加するかまたはそこから削除するための命令を保持するメモリと、
前記命令を実行するプロセッサと
を含む、通信装置。
【請求項３１】
前記2次アクティブ信号セットが拡張専用チャネル(E-DCH)を含む、請求項30に記載の通信装置。
【請求項３２】
前記2次アクティブ信号セットが、フラクショナル専用物理チャネル(F-DPCH)を用いて2次アップリンクキャリア上でセルのために生成される、請求項31に記載の通信装置。
【請求項３３】
拡張ハイブリッドARQインジケータチャネル(E-HICH)を用いて2次アップリンクキャリア上でセルのために2次E-DCHアクティブセットを生成するための命令をさらに含む、請求項32に記載の通信装置。
【請求項３４】
ワイヤレスネットワーク上で2つ以上のアップリンクキャリア信号を処理するための手段と、
前記ワイヤレスネットワークのための少なくとも1つのアクティブ信号セットを復号するための手段と、
前記ワイヤレスネットワーク上で通信を可能にするために前記2つ以上のアップリンクキャリア信号に従って1つまたは複数の2次アクティブ信号セットを受信するための手段と、
アンカーベースイベントである1つまたは複数のモビリティイベントを生成するか、あるいはキャリアごとに1つまたは複数の独立したモビリティイベントを生成するための手段と、
セクタがアクティブ信号セットまたはアクティブE-DCHセットに追加されるかまたはそこから削除されたとき、同じセクタを2次アクティブセットまたは2次E-DCHアクティブセットに追加するかまたはそこから削除するための手段と
を含む、通信装置。
【請求項３５】
前記2次アクティブ信号セットが拡張専用チャネル(E-DCH)を含む、請求項34に記載の通信装置。
【請求項３６】
マルチキャリア演算のためのコードを含むコンピュータ可読媒体であって、前記コードが、
ワイヤレスネットワーク上で2つ以上のアップリンクキャリア信号を受信することをコンピュータに行わせるためのコードと、
前記ワイヤレスネットワークのための少なくとも1つのアクティブ信号セットを処理することをコンピュータに行わせるためのコードと、
前記ワイヤレスネットワーク上で通信を可能にするために前記2つ以上のアップリンクキャリア信号に従って1つまたは複数の2次アクティブ信号セットを復号することをコンピュータに行わせるためのコードと、
アンカーベースイベントである1つまたは複数のモビリティイベントを生成すること、あるいはキャリアごとに1つまたは複数の独立したモビリティイベントを生成することをコンピュータに行わせるためのコードと、
セクタがアクティブ信号セットまたはアクティブE-DCHセットに追加されるかまたはそこから削除されたとき、同じセクタを2次アクティブセットまたは2次E-DCHアクティブセットに追加するかまたはそこから削除することをコンピュータに行わせるためのコードと
を含む、コンピュータ可読媒体。
【請求項３７】
前記2次アクティブ信号セットが拡張専用チャネル(E-DCH)を含む、請求項36に記載のコンピュータ可読媒体。
【請求項３８】
ワイヤレス受信機において2つ以上のアップリンクキャリア信号を処理するステップと、
前記ワイヤレス受信機において少なくとも1つのアクティブ信号セットと少なくとも1つの2次アクティブ信号セットとを処理するステップと、
2次周波数に従って前記ワイヤレス受信機の探索を行うステップと、
アンカーベースイベントである1つまたは複数のモビリティイベントを生成するステップ、あるいはキャリアごとに1つまたは複数の独立したモビリティイベントを生成するステップと、
セクタがアクティブ信号セットまたはアクティブE-DCHセットに追加されるかまたはそこから削除されたとき、同じセクタを2次アクティブセットまたは2次E-DCHアクティブセットに追加するかまたはそこから削除するステップと
を含む、ワイヤレス通信方法。
【請求項３９】
前記探索が非圧縮モードにおいて生成される、請求項38に記載の方法。
【発明の詳細な説明】
【技術分野】
【０００１】
優先権の主張
本出願は、その全体が参照により本明細書に組み込まれる、MOBILITY  IN  MULTI-CARRIER  HIGH  SPEED  PACKET  ACCESSと題し、2009年3月17日に出願された米国特許仮出願第61/160,873号の利益を主張する。
【０００２】
以下の説明は、一般にワイヤレス通信システムに関し、より詳細には、マルチキャリア高速パケットアクセス(HPSA)に関する。
【背景技術】
【０００３】
ワイヤレス通信システムは、ボイス、データなど、様々なタイプの通信コンテンツを提供するために広く展開されている。これらのシステムは、利用可能なシステムリソース(たとえば、帯域幅および送信電力)を共有することによって複数のユーザとの通信をサポートすることが可能な多元接続システムであり得る。そのような多元接続システムの例には、符号分割多元接続(CDMA)システム、時分割多元接続(TDMA)システム、周波数分割多元接続(FDMA)システム、E-UTRAを含む3GPP  Long  Term  Evolution(LTE)システム、および直交周波数分割多元接続(OFDMA)システムがある。
【０００４】
直交周波数分割多重(OFDM)通信システムは、全システム帯域幅を、周波数サブチャネル、トーン、または周波数ビンとも呼ばれ得る複数(NF)個のサブキャリアに効果的に区分する。OFDMシステムでは、まず、送信すべきデータ(すなわち、情報ビット)を特定の符号化方式を用いて符号化して符号化ビットを生成し、符号化ビットをさらにマルチビットシンボルにグループ化し、次いで、これらのマルチビットシンボルを変調シンボルにマッピングする。各変調シンボルは、データ送信のために使用される特定の変調方式(たとえば、M-PSKまたはM-QAM)によって定義された信号コンスタレーション中のポイントに対応する。各周波数サブキャリアの帯域幅に依存し得る各時間間隔において、NF個の周波数サブキャリアの各々上で変調シンボルを送信することができる。したがって、システム帯域幅にわたる様々な減衰量よって特徴づけられる、周波数選択性フェージングによって生じるシンボル間干渉(ISI)をなくすために、OFDMを使用することができる。
【０００５】
一般に、ワイヤレス多元接続通信システムは、順方向および逆方向リンク上の送信を介して1つまたは複数の基地局と通信する複数のワイヤレス端末のための通信を同時にサポートすることができる。順方向リンク(またはダウンリンク)は、基地局から端末への通信リンクを指し、逆方向リンク(またはアップリンク)は、端末から基地局への通信リンクを指す。この通信リンクは、単入力単出力、多入力単出力または多入力多出力(MIMO)システムを介して確立され得る。
【発明の概要】
【発明が解決しようとする課題】
【０００６】
ワイヤレスシステムの1つの問題は、高速アップリンクパケットアクセス(HSUPA)のためのマルチキャリア機能に関する。一般に、HSUPAは、パケットスケジューラを採用するが、ユーザ機器またはデバイスが、データを送信するための許可を要求し得、スケジューラが、いつおよびいくつのデバイスにそうすることを許すかを決定する、要求グラント通信に基づいて動作する。送信の要求は、デバイスにおける送信バッファおよびキューの状態に関するデータを含んでいる。このスケジュールされた送信モードに加えて、適用可能な規格は、非スケジュールと表される、デバイスからの自己開始送信モードをも可能にしている。しかしながら、第2のアップリンクキャリアの追加とともに、シングルキャリアパフォーマンスのために適合されたアクティブセット定義に関する様々な問題が発生する。マルチキャリア演算をサポートすることを試みるとき、他のモビリティ管理問題にも遭遇する。
【課題を解決するための手段】
【０００７】
以下で、請求する主題のいくつかの態様の基本的理解を与えるために、簡略化された概要を提示する。本概要は、包括的な概観ではなく、主要な/重要な要素を識別するものでも、請求する主題の範囲を定めるものでもない。その唯一の目的は、後で提示するより詳細な説明の導入として、いくつかの概念を簡略化された形で提示することである。
【０００８】
マルチキャリア高速アップリンク適用例におけるワイヤレス通信を可能にするためのシステムおよび方法を提供する。一態様では、「2次アクティブセット」および「2次E-DCHアクティブセット」と呼ばれる追加のセットが与えられ、E-DCHは拡張専用チャネルを指す。2次E-DCHアクティブセットは2次アクティブセットのサブセットであり得る。さらに、2次アクティブセットおよび2次E-DCHアクティブセットは、それぞれアクティブセットおよびE-DCHアクティブセットのサブセットであり得る。様々なモビリティイベント(たとえば、イベント2a)は、アンカーベースであり得、アンカーキャリアを変更するための効率的なモードとして採用され得る。これは、キャリアごとに独立していることもあり得る周波数内モビリティイベント、たとえば、イベント1x(1a、1bなど)と、アンカーベースである周波数間モビリティイベント、たとえば、イベント2x(2a、2bなど)とを含む。本システムおよび方法は、効率的なモビリティ方式とともに2次アクティブセットを定義することによるプロトコル拡張を提供する。これらのシステムおよび方法はまた、アップリンク上の3つ以上のキャリアに拡張することも可能である。たとえば、サポートされるアップリンクキャリアの数に応じて、3次以上のセットを適用および/または拡張することができる。イベントは両方のキャリア上でトリガされ得るので、モビリティイベントの遅延を低減するために、ユーザ機器は2次キャリア上で探索を実行することができる。さらに、2次キャリアが非アクティブにされたとき、ユーザ機器はモビリティイベントについて2次キャリア上のチャネル状態を監視する。非圧縮モードにおいて2次周波数を探索する随意の機能がある。
【０００９】
上記および関係する目的の達成のために、いくつかの例示的な態様について、以下の説明および添付の図面に関して本明細書で説明する。ただし、これらの態様は、請求する主題の原理を採用することができる様々な方法のうちのほんのいくつかを示すものであり、請求する主題は、すべてのそのような態様およびそれらの均等物を含むものとする。他の利点および新規の特徴は、以下の詳細な説明を図面とともに考察すると明らかになろう。
【図面の簡単な説明】
【００１０】
【図１】ワイヤレス通信システムのためのアップリンクマルチキャリア演算を行うシステムのハイレベルブロック図である。
【図２】2次アップリンクキャリアのための2次アクティブセットと2次E-DCHアクティブセットとを示す図である。
【図３】2次アクティブセットのための例示的なメンバーシップルールを示す図である。
【図４】ソフトおよびよりソフトなハンドオーバ挙動の方法について説明する流れ図である。
【図５】2次セット生成および処理の方法について説明する流れ図である。
【図６】マルチキャリア演算のための例示的な論理モジュールを示す図である。
【図７】代替的マルチキャリア演算のための例示的な論理モジュールを示す図である。
【図８】マルチキャリア演算を採用する例示的な通信装置を示す図である。
【図９】多元接続ワイヤレス通信システムを示す図である。
【図１０】例示的な通信システムを示す図である。
【図１１】例示的な通信システムを示す図である。
【発明を実施するための形態】
【００１１】
アップリンクパケットアクセスワイヤレスネットワークにおいて複数のキャリアを生成し、処理するためのシステムおよび方法を提供する。一態様では、ワイヤレス通信のための方法を提供する。本方法は、ワイヤレスネットワーク上で2つ以上のアップリンクキャリア信号を生成するステップと、ワイヤレスネットワークのための少なくとも1つのアクティブ信号セットを生成するステップとを含む。本方法はまた、ワイヤレスネットワーク上で通信を可能にするために2つ以上のアップリンクキャリア信号に従って1つまたは複数の2次アクティブ信号セットを生成するステップを含む。
【００１２】
本明細書で説明する1つまたは複数の例示的な実施形態では、説明する機能は、ハードウェア、ソフトウェア、ファームウェア、またはそれらの任意の組合せで実装され得ることに留意されたい。ソフトウェアで実装する場合、機能は、1つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体でよい。限定ではなく、例として、そのようなコンピュータ可読媒体は、RAM、ROM、EEPROM、CD-ROMまたは他の光ディスクストレージ、磁気ディスクストレージまたは他の磁気ストレージデバイス、あるいは命令もしくはデータ構造の形態の所望のプログラムコードを担持または記憶するために使用され得、コンピュータによってアクセスされ得る、任意の他の媒体を含むことができる。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピー（登録商標）ディスク(disk)およびブルーレイディスク(disc)を含み、ディスク(disk)は、通常、データを磁気的に再生し、ディスク(disc)は、データをレーザで光学的に再生する。上記の組合せもコンピュータ可読媒体の範囲内に含めるべきである。
【００１３】
次に図1を参照すると、システム100がワイヤレス通信ネットワーク110のためのアップリンクマルチキャリア演算を行う。システム100は、ワイヤレスネットワーク110を介して様々なデバイス130に通信することが可能なエンティティとすることができる(ノード、進化型ノードB(eNB)、サービングeNB、ターゲットeNB、フェムト局、ピコ局とも呼ばれる)1つまたは複数の基地局120を含む。たとえば、各デバイス130は、(端末、ユーザ機器、モビリティ管理エンティティ(MME)またはモバイルデバイスとも呼ばれる)アクセス端末とすることができる。デバイス130は、アップリンク通信上で複数のワイヤレスキャリアを受信し、処理するために設けられた2次アクティブセットプロセッサ140を含み得る。2次アクティブセットプロセッサ140は、基地局120にある2次アクティブセット生成器154から発している(N個の)2次アクティブセット150に応答する。複数の2次アクティブセット150は、基地局120において生成され、デバイス130において処理され得、Nは、ワイヤレスネットワーク110のアップリンクチャネル上でアクティブセットごとに生成される少なくとも1つの2次アクティブセットに概して対応する整数であることに留意されたい。
【００１４】
図示のように、基地局120は、ダウンリンク160を介して(1つまたは複数の)デバイス130に通信し、アップリンク170を介してデータを受信する。デバイス130もダウンリンクチャネルを介してデータを送信し、アップリンクチャネルを介してデータを受信することができるので、アップリンクおよびダウンリンクのような表示は任意である。2つの構成要素120および130が示されているが、ネットワーク110上で3つ以上の構成要素を採用することができ、そのような追加の構成要素を、本明細書で説明するマルチキャリア演算に適応させることもできることに留意されたい。さらに、プロセッサ140および生成器154は一般に高速アップリンクパケットアクセス(HSUPA)システムに適用されるが、そのような通信は、高速ダウンリンクパケットアクセス(HSDPA)または他のワイヤレスプロトコルにも同様に適用され得ることに留意されたい。
【００１５】
概して、システム100は、マルチキャリア高速アップリンク適用例におけるワイヤレス通信を可能にする。一態様では、「2次アクティブセット」および「2次E-DCHアクティブセット」と呼ばれる追加のセット150が与えられ、E-DCHは拡張専用チャネルを指す。2次E-DCHアクティブセットは2次アクティブセットのサブセットであり得る。さらに、2次アクティブセットおよび2次E-DCHアクティブセットは、それぞれアクティブセットおよびE-DCHアクティブセットのサブセットであり得る。以下でより詳細に説明するように、様々なモビリティイベント(たとえば、イベント2a)は、アンカーベースであり得、アンカーキャリアを変更するための効率的なモードとして採用され得る。これは、キャリアごとに独立していることもあり得る周波数内モビリティイベント、たとえば、イベント1x(1a、1bなど)と、アンカーベースである周波数間モビリティイベント、たとえば、イベント2x(2a、2bなど)とを含む。本システムおよび方法は、効率的なモビリティ方式とともに2次アクティブセット150を定義することによるプロトコル拡張を提供する。これらのシステムおよび方法はまた、アップリンク上の3つ以上のキャリアに拡張することも可能である。たとえば、サポートするアップリンクキャリアの数に応じて、150において3次以上のセットを適用および/または拡張することができる。
【００１６】
概して、HSUPAはアップリンク拡張専用チャネル(E-DCH)を採用し、そのE-DCH上で、HSUPAは、HSDPAによって採用されるのと同様のリンク適応方法、すなわち、より高速なリンク適応を可能にするより短い送信時間間隔と、再送信をより効果的にするインクリメンタルリダンダンシを用いたHARQ(ハイブリッドARQ)とを採用することができる。HSDPAと同様に、HSUPAは、パケットスケジューラを使用するが、UE130が、データを送信するための許可を要求し、スケジューラが、いつおよびいくつのUEにそうすることを許すかを決定する、要求グラント原理に基づいて動作する。送信の要求は、UE130における送信バッファおよびキューの状態と、その利用可能な電力マージンとに関するデータを含んでいる。このスケジュールされた送信モードに加えて、規格は、非スケジュールと表される、UE130からの自己開始送信モードをも可能にしている。たとえば、非スケジュールモードは、たとえば、VoIP(ボイスオーバIP)サービスのために使用され得る。
【００１７】
各MAC-dフロー(たとえば、サービス品質(QoS)フロー)は、スケジュールモードまたは非スケジュールモードのいずれかを使用するように構成され得、UE130は、スケジュールフローおよび非スケジュールフローのおよびデータレートを独立して調整することに留意されたい。各非スケジュールフローの最大データレートは呼設定において構成され得る。スケジュールフローによって使用される電力は、(実効値からなる)絶対グラントメッセージと(シングルアップ/ダウンビットからなる)相対グラントメッセージとを通してノードB120によって動的に制御される。たとえば、MACのレイヤ1において、HSUPAは、新しい物理チャネルである、E-AGCH(絶対グラントチャネル)、E-RGCH(相対グラントチャネル)、専用物理チャネル(DPCH)、F-DPCH(フラクショナルDPCH)、E-HICH(E-DCHハイブリッドARQインジケータチャネル)、E-DPCCH(E-DCH専用物理制御チャネル)およびE-DPDCH(E-DCH専用物理データチャネル)を導入する。概して、E-DPDCHはE-DCHトランスポートチャネルを搬送するために利用され、E-DPCCHはE-DCHに関連する制御情報を搬送するために使用される。以下の図2についての説明では、2次アップリンクキャリアのための新しい2次アクティブセットおよび2次E-DCHアクティブセットを定義する。図3では、これらのセットにおけるメンバーシップに関する制限について説明し、図4では、ソフトおよびよりソフトなハンドオーバ挙動の方法について説明する。
【００１８】
システム100は、アクセス端末またはモバイルデバイスとともに採用され得、たとえば、SDカード、ネットワークカード、ワイヤレスネットワークカード、(ラップトップ、デスクトップ、携帯情報端末(PDA)を含む)コンピュータ、モバイルフォン、スマートフォン、またはネットワークにアクセスするために利用され得る任意の他の好適な端末などのモジュールとすることができることに留意されたい。端末は、アクセス構成要素(図示せず)によってネットワークにアクセスする。一例では、端末とアクセス構成要素との間の接続は本質的にワイヤレスとすることができ、アクセス構成要素は基地局とすることができ、モバイルデバイスはワイヤレス端末である。たとえば、端末と基地局とは、限定はしないが、時分割多元接続(TDMA)、符号分割多元接続(CDMA)、周波数分割多元接続(FDMA)、直交周波数分割多重(OFDM)、FLASH  OFDM、直交周波数分割多元接続(OFDMA)、または任意の他の好適なプロトコルを含む、任意の好適なワイヤレスプロトコルによって通信することができる。
【００１９】
アクセス構成要素は、ワイヤードネットワークまたはワイヤレスネットワークに関連付けられたアクセスノードとすることができる。その目的で、アクセス構成要素は、たとえば、ルータ、スイッチなどとすることができる。アクセス構成要素は、他のネットワークノードと通信するための1つまたは複数のインターフェース、たとえば、通信モジュールを含み得る。さらに、アクセス構成要素はセルラータイプネットワーク中の基地局(またはワイヤレスアクセスポイント)とすることができ、基地局(またはワイヤレスアクセスポイント)は複数の加入者にワイヤレスカバレージエリアを与えるために利用される。そのような基地局(またはワイヤレスアクセスポイント)は、1つまたは複数のセルラー電話および/または他のワイヤレス端末に連続するカバレージエリアを与えるように構成され得る。
【００２０】
図2は、2次アップリンクキャリアのための2次アクティブセットと2次E-DCHアクティブセットとを示す図200である。デュアルセル高速ダウンリンクパケットアクセス(DC-HSDPA)では、アクティブセットは、概して、サービング高速専用共有チャネル(HS-DSCH)セル周波数上のセクタのみを含んでいる。この周波数はアンカーキャリアと呼ばれ得る。アンカーキャリア上にこれらのセクタのみを含むモチベーションの1つは、簡潔さ、および単一のアップリンクの存在である。
【００２１】
デュアルセル高速ダウンリンクパケットアクセス(DC-HSUPA)では、アクティブセット定義への拡張は、第2のアップリンクキャリアの追加のために210において与えられる。上記のように、3つ以上のキャリアをサポートすることができる。ただし、「アクティブセット」という用語は、無線リソース制御(RRC)プロトコル全体にわたって広範囲に使用される。たとえば、それは、測定制御メッセージおよびモビリティイベントトリガにおいて使用される。したがって、元のアクティブセットを変更するよりも、2次キャリア上にセルの新しいセットを定義することがより好適である。したがって、以下の新しい定義を生成し、処理する。
【００２２】
220において、2次アクティブセットは、F-DPCHが送信電力制御のためにダウンリンク上で送信される、2次ダウンリンクおよびアップリンクキャリア上のセルのセットである。230において、2次E-DCHアクティブセットは、E-DCHが少なくとも1つのUEについて搬送される、2次ダウンリンクおよびアップリンクキャリア上のセルのセットである。2次アップリンクキャリアについての電力制御ビットの組合せを2次アクティブセット中のすべてのセルに適用することができる。2次アップリンクキャリアのサービンググラント更新は、概して2次E-DCHアクティブセット中のすべてのセルからのE-RGCHを組み合わせる。アンカーキャリアでは、E-DCHアクティブセットはアクティブセット210のサブセットである。2次キャリアでは、アップリンク上でDPDCHがないことにより、2次E-DCHアクティブセット230は、上記で定義した2次アクティブセット220と同じである。
【００２３】
図3は、2次アクティブセットのための例示的なメンバーシップルールを示す図300である。一態様では、両方のアップリンクキャリアのサービングセルは同じであり得る。図3の300に示すように、DC-HSUPAユーザ機器のアクティブセットと2次アクティブセットとの以下の少なくとも3つの可能な組成がある。
【００２４】
図3の310における組成1:  同じセクタが両方のセット上にある。
【００２５】
図3の320における組成2:  2次アクティブセット上のセクタがアクティブセット上のセクタのサブセットを形成する。
【００２６】
図3の330における組成3:  両方のセット上のセクタのセットは独立している。ただし、どんなときも、両方のキャリア上のサービングセルは概して同じセクタに属する。
【００２７】
DC  HSUPA展開の開始において、DC  HSUPAをもつおよびもたないノードB間に境界が存在し得る。そのような境界では、320の組成2と330の組成3とをサポートすることができる。
【００２８】
2次キャリアは部分的にのみ展開されるが、アンカーキャリアは広く展開される場合、セクタ1とセクタ2の両方がサービングセクタになることができるので、320の構成2がスムーズなサービングセル変更をサポートする。330の構成3の効用を観察するために、UE350が、周波数F1およびF2をもつホットスポット360(セクタ1、またはS1)から離れている、図340に示すモビリティシナリオについて考える。概して、F2のみが370のセクタ2(S2)によってサポートされている。負荷分散のために、UEの現在のアンカーキャリアはF1であると仮定する。UE350が370のS2のほうへ移動すると、F1は、干渉がないことにより、F2よりも遅く減衰する。370のS2が適時に2次アクティブセットに追加されない場合、UE350は、S2によって電力制御またはレート制御され得ず、したがって、S2への干渉を生じ得る。概して、3つのすべての構成310〜330をサポートしなければならない。これは、たとえば、1次アクティブセットと2次アクティブセットとの間の独立性、および1次E-DCHアクティブセットと2次E-DCHアクティブセットとの間の独立性を暗示する。
【００２９】
1次アクティブセットと2次アクティブセットとの間の独立性を維持するために、周波数内イベント、イベント1xは各キャリア上で独立してトリガされる。2次キャリアは、イベント1xの「使用済み周波数」と見なされる。進む前に、すべてのモビリティイベントを「アンカーベース」と見なし、「アンカーベース」として処理することができることに留意されたい。別の態様では、モビリティイベントのサブセットをアンカーベースと見なし、アンカーベースとして処理することができる。
【００３０】
340に示す例では、UE350は、370のセクタ2を2次アクティブセットに追加するために、F2上でイベント1Aをトリガする。UE350がF2上でイベント1Dをトリガすることができる場合、UE350のサービングセルは、F2上のセクタ2がF2上の360のセクタ1よりも強いとき、370のセクタ2に変更され得る。そのようなサービングセル変更はアンカーキャリアをF2に変更することもできる。一方、UE350がF2上でイベント1Dをトリガすることができない場合、セクタ2上のF2がセクタ1上のF1よりも強くなった後、370のセクタ2へのサービングセル変更が行われ得る。340において観察されるように、F1は、干渉がないことにより、極めて緩やかに減衰する。したがって、F2上でイベント1Dをトリガしなければ、UE350は、F1のアップリンク上で360のセクタ1への経路損失が大きいことによりアップリンクパフォーマンスが不十分になり、同時に、UEは370のセクタ2へのF2上の干渉を生じ得る。したがって、UE350は、各キャリア上で独立してイベント1Dをトリガしなければならない。アンカーキャリアと2次キャリアとの間の切替えは、たとえば、イベント2Aを通して実行され得ることに留意されたい。
【００３１】
イベント1xは両方のキャリア上でトリガされ得るので、モビリティイベントの遅延を低減するために、UE350は2次キャリア上で頻繁に探索する。さらに、2次キャリアがRNCまたはノードBのいずれかによって非アクティブにされたとき、UE350はモビリティイベントについて2次キャリア上のチャネル状態を監視する。一般に、DC  HSUPAにおける2つのキャリアは隣接している。圧縮モードなしに2次周波数を探索するDC  HSDPA  UEのための随意の機能がある。概して、以下の考慮事項をまとめる。両方のキャリア上のアクティブセットは独立している。両方のキャリア上のE-DCHアクティブセットも独立している。イベント1Dを含む周波数内イベントは各キャリア上で独立してトリガされる。2次キャリアは、周波数内モビリティイベントの「使用済み周波数」と見なされる。両方のキャリア上のサービングセルは同じでなければならない。2次キャリアは、周波数間モビリティイベントの「未使用周波数」と見なされる。アンカー周波数と2次周波数との間の切替えはイベント2Aを通して実行され得る。圧縮モードなしの2次周波数上のUE探索機能は必須でなければならない。
【００３２】
330の組成3は制限され得る。たとえば、2次アクティブセットにセクタを追加することは、アクティブセットに同じセクタを追加することに結びつけられなければならない。さもなければ、UEは、アンカーキャリアなしにあるセクタにUEのサービングセクタを変更することができない。DC  HSUPAおよび非DC  HSUPA展開の境界において、アンカーキャリアが2次キャリアほど広く展開されない場合、アンカーキャリアを変更するためにイベント2aを使用することができる。イベント2aによってトリガされた測定報告を用いて、ネットワークは、新しいアンカーキャリアに基づいて、完全なアクティブセットを構成することが可能になるはずである。UEが圧縮モードなしの2次キャリア上の探索機能を有する場合、サービス中断なしに周波数間測定値を得ることができる。
【００３３】
330の組成3はまた、モビリティトリガにおけるさらなる複雑さを有する。組成3を効果的にするためには、アンカーベースのモビリティを補正しなければならない。たとえば、イベント1xをトリガするためには、2次キャリア上の新しいセクタが、アンカーキャリア上の同じセクタの追加とともに追加され得るように、相互周波数比較が必要となることがある。したがって、310の組成1と320の組成2とを可能にすることが提案される。すなわち、2次アクティブセット中のセクタは、アクティブセット中のセクタと同じであるかまたはそのサブセットである。同様に、2次E-DCHアクティブセット中のセクタは、E-DCHアクティブセット中のセクタと同じであるかまたはそのサブセットでなければならない。さらに、セクタがアクティブセットに追加されるかまたはそこから削除されたとき、同じセクタを2次アクティブセットに追加するかまたはそこから削除することができる。また、イベント1xのモビリティトリガはアンカーベースであり得る。
【００３４】
次に図4および図5を参照すると、マルチキャリア演算のための例示的な方法が示されている。説明を簡単にするために、本方法(および本明細書で説明する他の方法)を一連の行為として図示し説明するが、いくつかの行為は、1つまたは複数の態様によれば、本明細書で図示し説明する順序とは異なる順序で、および/または他の行為と同時に行われ得るので、本方法は行為の順序によって限定されないことを理解および諒解されたい。たとえば、方法は、状態図など、一連の相互に関係する状態または事象として代替的に表現され得ることを当業者は理解し、諒解するであろう。さらに、請求する主題による方法を実装するために、図示のすべての行為が利用されるわけではない。一般に、本方法は、本明細書で説明する独立したマルチキャリア電力制御をサポートする、プロセッサ命令、論理プログラミング機能、または他の電子シーケンスとして実装され得る。
【００３５】
図4は、ソフトハンドオーバ挙動の方法400について説明する流れ図である。上記の制限とともに、410において、ソフトおよびよりソフトなハンドオーバを各キャリア上で別々に維持するが、2次アクティブセット中のセクタは、アクティブセット中のセクタと同じであるかまたはそのサブセットである。420において、各セット中の各セルは、そのキャリア上の各RLSにおけるパイロットチップ受信エネルギー対雑音全干渉パラメータ(Ecp/Nt)に基づいてUEに電力制御ビットを送信する。430において、UEは、アクティブセット/2次アクティブセット中の各キャリア上のすべてのセルからのそのキャリア上の電力制御ビットを組み合わせる。440において、アンカーキャリア上のアクティブセット中のすべてのセルはアップリンク専用物理データチャネル(DPDCH)を復号することを試み、たとえば、RNCにおいて選択が実行され得る。
【００３６】
E-DCHアクティブセットはアクティブセットのサブセットであることに留意されたい。2次E-DCHアクティブセットは2次アクティブセットと同じであり得る。概して、各キャリア上のサービングセルは、そのキャリア上でグラントのためにE-AGCHおよびE-RGCHを送信する。E-DCHアクティブセット中の各非サービングRLSはまた、各キャリア上で非サービングE-RGCHを送信する。概して、各キャリア上のすべてのセクタはユーザ機器のE-DPDCHおよびE-DPCCHを復号することを試み、選択の組合せはRNCにおいて実行される。
【００３７】
図5は、2次セット生成および処理のワイヤレス通信方法500について説明する流れ図である。510において、本方法は、ワイヤレスネットワーク上で2つ以上のアップリンクキャリア信号を生成(または受信/処理)するステップを含む。520において、本方法は、ワイヤレスネットワークのための少なくとも1つのアクティブ信号セットを生成(または受信/処理)するステップを含む。530において、本方法は、ワイヤレスネットワーク上で通信を可能にするために2つ以上のアップリンクキャリア信号に従って1つまたは複数の2次アクティブ信号セットを生成(または受信/処理)するステップを含む。540において、高速アップリンクパケットアクセスプロトコルに従ってアップリンクキャリア信号を生成する。
【００３８】
別の態様では、2次アクティブ信号セットは拡張専用チャネル(E-DCH)を含む。2次アクティブ信号セットは、フラクショナル専用物理チャネル(F-DPCH)を用いて2次アップリンクキャリア上でセルのために生成される。方法500はまた、拡張ハイブリッドARQインジケータチャネル(E-HICH)を用いて2次アップリンクキャリア上でセルのために2次E-DCHアクティブセットを生成するステップを含む。これは、アクティブ信号セット中の1つまたは複数のセクタと同様にしてあるいはそのサブセットとして2次アクティブ信号セットを生成するステップを含む。本方法はまた、2次アクティブセットと同様にして2次E-DCHアクティブセットを生成するステップを含む。これは、E-DCHアクティブセット中の1つまたは複数のセクタと同様にしてあるいはそのサブセットとして2次E-DCHアクティブセット中の1つまたは複数のセクタを生成するステップを含む。これはまた、アンカーベースイベントである1つまたは複数のモビリティイベントを生成するステップを含む。方法500は、セクタがアクティブ信号セットまたはアクティブE-DCHセットに追加されるかまたはそこから削除されたとき、同じセクタを2次アクティブセットまたは2次E-DCHアクティブセットに追加するかまたはそこから削除するステップを含む。これは、2次アップリンクキャリアのための電力制御ビットを生成するステップと、2次アクティブセット中のすべてのセルにそのビットを適用するステップとを含み得る。これはまた、アンカーキャリアを変更するためにイベント2aを採用するステップを含む。これは、キャリア間のスムーズなハンドオーバを生成するステップを含み、パイロットチップ受信エネルギー対雑音全干渉パラメータ(Ecp/Nt)に基づいて1つまたは複数の電力制御ビットを処理するステップを含む。
【００３９】
本明細書で説明する技法プロセスは様々な手段によって実装され得る。たとえば、これらの技法は、ハードウェア、ソフトウェア、またはそれらの組合せで実装され得る。ハードウェア実装の場合、処理ユニットは、1つまたは複数の特定用途向け集積回路(ASIC)、デジタル信号プロセッサ(DSP)、デジタル信号処理デバイス(DSPD)、プログラマブル論理デバイス(PLD)、フィールドプログラマブルゲートアレイ(FPGA)、プロセッサ、コントローラ、マイクロコントローラ、マイクロプロセッサ、本明細書で説明する機能を実行するように設計された他の電子ユニット、あるいはそれらの組合せの中で実装され得る。ソフトウェアでは、本明細書で説明する機能を実行するモジュール(たとえば、プロシージャ、関数など)によって実装を行うことができる。ソフトウェアコードは、メモリユニットに記憶し、プロセッサによって実行することができる。
【００４０】
次に図6および図7を参照すると、ワイヤレス信号処理に関係するシステムが与えられている。本システムは、プロセッサ、ソフトウェア、ハードウェア、ファームウェア、または任意の好適なそれらの組合せによって実装される機能を表すことができる一連の相互に関係する機能ブロックとして表される。
【００４１】
図6を参照すると、ワイヤレス通信システム600が与えられている。システム600は、ワイヤレスネットワーク上で2つ以上のアップリンクキャリア信号を生成するための論理モジュール602または手段と、ワイヤレスネットワークのための少なくとも1つのアクティブ信号セットを符号化するための論理モジュール604または手段とを含む。これは、ワイヤレスネットワーク上で通信を可能にするために2つ以上のアップリンクキャリア信号に従って1つまたは複数の2次アクティブ信号セットを通信するための論理モジュール606または手段を含む。
【００４２】
図7を参照すると、ワイヤレス通信システム700が与えられている。システム700は、ワイヤレスネットワーク上で2つ以上のアップリンクキャリア信号を処理するための論理モジュール702または手段を含む。これは、ワイヤレスネットワークのための少なくとも1つのアクティブ信号セットを復号するための論理モジュール704または手段を含む。これはまた、ワイヤレスネットワーク上で通信を可能にするために2つ以上のアップリンクキャリア信号に従って1つまたは複数の2次アクティブ信号セットを受信するための論理モジュール706または手段を含む。
【００４３】
別の態様では、通信装置を提供する。これは、ワイヤレスネットワーク上で2つ以上のアップリンクキャリア信号を生成し、ワイヤレスネットワークのための少なくとも1つのアクティブ信号セットを符号化し、ワイヤレスネットワーク上で通信を可能にするために2つ以上のアップリンクキャリア信号に従って1つまたは複数の2次アクティブ信号セットを符号化するための命令を保持するメモリと、その命令を実行するプロセッサとを含む。
【００４４】
別の態様では、コンピュータプログラム製品を提供する。これは、マルチキャリア演算のためのコードを含むコンピュータ可読媒体であって、そのコードが、ワイヤレスネットワーク上で2つ以上のアップリンクキャリア信号を送信することをコンピュータに行わせるためのコードと、ワイヤレスネットワークのための少なくとも1つのアクティブ信号セットを生成することをコンピュータに行わせるためのコードと、ワイヤレスネットワーク上で通信を可能にするために2つ以上のアップリンクキャリア信号に従って1つまたは複数の2次アクティブ信号セットを符号化することをコンピュータに行わせるためのコードとを含む、コンピュータ可読媒体を含む。
【００４５】
さらに別の態様では、ワイヤレス通信方法を提供する。本方法は、ワイヤレスネットワーク上で2つ以上のアップリンクキャリア信号を受信するステップと、ワイヤレスネットワークのための少なくとも1つのアクティブ信号セットを処理するステップと、ワイヤレスネットワーク上で通信を可能にするために2つ以上のアップリンクキャリア信号に従って1つまたは複数の2次アクティブ信号セットを処理するステップとを含む。
【００４６】
別の態様では、通信装置を提供する。これは、ワイヤレスネットワーク上で2つ以上のアップリンクキャリア信号を処理し、ワイヤレスネットワークのための少なくとも1つのアクティブ信号セットを復号し、ワイヤレスネットワーク上で通信を可能にするために2つ以上のアップリンクキャリア信号に従って1つまたは複数の2次アクティブ信号セットを復号するための命令を保持するメモリと、その命令を実行するプロセッサとを含む。
【００４７】
別の態様では、コンピュータプログラム製品を提供する。これは、マルチキャリア演算のためのコードを含むコンピュータ可読媒体であって、そのコードが、ワイヤレスネットワーク上で2つ以上のアップリンクキャリア信号を受信することをコンピュータに行わせるためのコードと、ワイヤレスネットワークのための少なくとも1つのアクティブ信号セットを処理することをコンピュータに行わせるためのコードと、ワイヤレスネットワーク上で通信を可能にするために2つ以上のアップリンクキャリア信号に従って1つまたは複数の2次アクティブ信号セットを復号することをコンピュータに行わせるためのコードとを含む、コンピュータ可読媒体を含む。さらに別の態様では、ワイヤレス通信方法を提供する。本方法は、ワイヤレス受信機において2つ以上のアップリンクキャリア信号を処理するステップと、ワイヤレス受信機において少なくとも1つのアクティブ信号セットと少なくとも1つの2次アクティブ信号セットとを処理するステップと、2次周波数に従ってワイヤレス受信機に探索機能を提供するステップであって、探索機能が非圧縮モードにおいて生成され得る、提供するステップとを含む。これはまた、キャリア間のスムーズなハンドオーバを生成するステップを含み得る。これは、アンカーベースイベントである1つまたは複数のモビリティイベントを生成するステップ、あるいはキャリアごとに1つまたは複数の独立したモビリティイベントを生成するステップを含む。
【００４８】
図8に、たとえば、ワイヤレス端末などのワイヤレス通信装置とすることができる通信装置800を示す。追加または代替として、通信装置800はワイヤードネットワーク内に常駐することができる。通信装置800は、ワイヤレス通信端末中で信号分析を実行するための命令を保持することができるメモリ802を含むことができる。さらに、通信装置800は、メモリ802内の命令および/または別のネットワークデバイスから受信した命令を実行することができるプロセッサ804を含むことができ、命令は、通信装置800または関連する通信装置を構成することまたは動作させることに関係し得る。
【００４９】
図9を参照すると、多元接続ワイヤレス通信システム900が示されている。多元接続ワイヤレス通信システム900は、セル902、904、および906を含む複数のセルを含む。システム900の態様では、セル902、904、および906は、複数のセクタを含むノードBを含み得る。複数のセクタはアンテナのグループによって形成され得、各アンテナは、セルの一部分におけるUEとの通信を担当する。たとえば、セル902において、アンテナグループ912、914、および916は各々異なるセクタに対応することができる。セル904において、アンテナグループ918、920、および922は各々異なるセクタに対応する。セル906において、アンテナグループ924、926、および928は各々異なるセクタに対応する。セル902、904および906は、各セル902、904または906の1つまたは複数のセクタと通信することができる、いくつかのワイヤレス通信デバイス、たとえば、ユーザ機器またはUEを含み得る。たとえば、UE930および932はノードB942と通信することができ、UE934および936はノードB944と通信することができ、UE938および940はノードB946と通信することができる。
【００５０】
次に図10を参照すると、一態様による多元接続ワイヤレス通信システムが示されている。アクセスポイント1000(AP)は複数のアンテナグループを含み、あるアンテナグループは1004および1006を含み、別のアンテナグループは1008および1010を含み、追加のアンテナグループは1012および1014を含む。図10では、アンテナグループごとに2つのアンテナのみが示されているが、アンテナグループごとにより多いまたはより少ないアンテナを利用することができる。アクセス端末1016(AT)はアンテナ1012および1014と通信中であり、アンテナ1012および1014は、順方向リンク1020上でアクセス端末1016に情報を送信し、逆方向リンク1018上でアクセス端末1016から情報を受信する。アクセス端末1022はアンテナ1006および1008と通信中であり、アンテナ1006および1008は、順方向リンク1026上でアクセス端末1022に情報を送信し、逆方向リンク1024上でアクセス端末1022から情報を受信する。FDDシステムでは、通信リンク1018、1020、1024および1026は、通信のための異なる周波数を使用することができる。たとえば、順方向リンク1020は、逆方向リンク1018によって使用される周波数とは異なる周波数を使用することができる。
【００５１】
アンテナの各グループ、および/またはアンテナが通信するように設計されたエリアは、しばしば、アクセスポイントのセクタと呼ばれる。アンテナグループはそれぞれ、アクセスポイント1000によってカバーされるエリアのセクタ内でアクセス端末に通信するように設計される。順方向リンク1020および1026上の通信では、アクセスポイント1000の送信アンテナは、異なるアクセス端末1016および1022に対して順方向リンクの信号対雑音比を改善するためにビームフォーミングを利用する。また、そのカバレージにわたってランダムに散在するアクセス端末に送信するためにビームフォーミングを使用するアクセスポイントは、単一のアンテナを介してすべてのそのアクセス端末に送信するアクセスポイントよりも、近隣セル内のアクセス端末に生じる干渉が少ない。アクセスポイントは、端末との通信に使用される固定局でもよく、アクセスポイント、ノードB、または何らかの他の用語で呼ばれることもある。アクセス端末は、アクセス端末、ユーザ機器(UE)、ワイヤレス通信デバイス、端末、アクセス端末または何らかの他の用語で呼ばれることもある。
【００５２】
図11を参照すると、システム1100には、MIMOシステム1100における(アクセスポイントとしても知られる)送信機システム1110および(アクセス端末としても知られる)受信機システム1150が示されている。送信機システム1110において、いくつかのデータストリームのトラフィックデータがデータソース1112から送信(TX)データプロセッサ1114に供給される。各データストリームは、それぞれの送信アンテナを介して送信される。TXデータプロセッサ1114は、各データストリーム用に選択された特定の符号化方式に基づいて、そのデータストリームのトラフィックデータをフォーマットし、符号化し、インターリーブして、符号化データを与える。
【００５３】
各データストリームの符号化データは、OFDM技法を使用してパイロットデータで多重化され得る。パイロットデータは、典型的には、知られている方法で処理され、チャネル応答を推定するために受信機システムにおいて使用され得る、知られているデータパターンである。次いで、各データストリームの多重化されたパイロットデータおよび符号化データは、変調シンボルを供給するために、そのデータストリーム用に選択された特定の変調方式(たとえば、BPSK、QSPK、M-PSK、またはM-QAM)に基づいて変調(すなわち、シンボルマッピング)される。各データストリームのデータレート、符号化、および変調は、プロセッサ1130によって実行される命令によって決定され得る。
【００５４】
次いで、すべてのデータストリームの変調シンボルがTX  MIMOプロセッサ1120に供給され、TX  MIMOプロセッサ1120はさらに(たとえば、OFDM用に)その変調シンボルを処理することができる。次いで、TX  MIMOプロセッサ1120はNT個の変調シンボルストリームをNT個の送信機(TMTR)1122a〜1122tに供給する。いくつかの実施形態では、TX  MIMOプロセッサ1120は、データストリームのシンボルと、シンボルが送信されているアンテナとにビームフォーミング重みを適用する。
【００５５】
各送信機1122は、それぞれのシンボルストリームを受信し、処理して、1つまたは複数のアナログ信号を供給し、さらに、それらのアナログ信号を調整(たとえば、増幅、フィルタ処理、およびアップコンバート)して、MIMOチャネルを介して送信するのに適した変調信号を供給する。次いで、送信機1122a〜1122tからのNT個の変調信号は、それぞれNT個のアンテナ1124a〜1124tから送信される。
【００５６】
受信機システム1150では、送信された変調信号はNR個のアンテナ1152a〜1152rによって受信され、各アンテナ1152からの受信信号は、それぞれの受信機(RCVR)1154a〜1154rに供給される。各受信機1154は、それぞれの受信信号を調整(たとえば、フィルタ処理、増幅、およびダウンコンバート)し、調整された信号をデジタル化して、サンプルを供給し、さらにそれらのサンプルを処理して、対応する「受信」シンボルストリームを供給する。
【００５７】
次いで、RXデータプロセッサ1160は、特定の受信機処理技法に基づいてNR個の受信機1154からNR個の受信シンボルストリームを受信し、処理して、NT個の「検出」シンボルストリームを供給する。次いで、RXデータプロセッサ1160は、各検出シンボルストリームを復調し、デインターリーブし、復号して、データストリームに対するトラフィックデータを回復する。RXデータプロセッサ1160による処理は、送信機システム1110におけるTX  MIMOプロセッサ1120およびTXデータプロセッサ1114によって実行される処理を補足するものである。
【００５８】
プロセッサ1170は、どのプリコーディング行列を使用すべきかを周期的に判断する(後述)。プロセッサ1170は、行列インデックス部とランク値部とを含む逆方向リンクメッセージを作成する。逆方向リンクメッセージは、通信リンクおよび/または受信データストリームに関する様々なタイプの情報を含むことができる。次いで、逆方向リンクメッセージは、データソース1136からいくつかのデータストリームのトラフィックデータをも受信するTXデータプロセッサ1138によって処理され、変調器1180によって変調され、送信機1154a〜1154rによって調整され、送信機システム1110に戻される。パラメータは、リソース割振りパラメータ、干渉状態パラメータ、信号強度パラメータ、信号品質パラメータ、品質を含む。
【００５９】
送信機システム1110において、受信機システム1150からの変調信号は、アンテナ1124によって受信され、受信機1122によって調整され、復調器1140によって復調され、RXデータプロセッサ1142によって処理されて、受信機システム1150によって送信された逆方向リンクメッセージを抽出する。次いで、プロセッサ1130は、ビームフォーミング重みを決定するためにどのプリコーディング行列を使用すべきかを判断し、次いで、抽出されたメッセージを処理する。
【００６０】
一態様では、論理チャネルは、制御チャネルとトラフィックチャネルとに分類される。論理制御チャネルは、システム制御情報をブロードキャストするためのDLチャネルであるブロードキャスト制御チャネル(BCCH)を含む。ページング制御チャネル(PCCH)は、ページング情報を転送するDLチャネルである。マルチキャスト制御チャネル(MCCH)は、1つまたは複数のMTCHについてのマルチメディアブロードキャストおよびマルチキャストサービス(MBMS)のスケジューリングおよび制御情報を送信するために使用されるポイントツーマルチポイントDLチャネルである。概して、RRC接続を確立した後、このチャネルは、MBMS(注:古いMCCH+MSCH)を受信するUEによって使用されるだけである。専用制御チャネル(DCCH)は、専用制御情報を送信するポイントツーポイント双方向チャネルであり、RRC接続を有するUEによって使用される。論理トラフィックチャネルは、ユーザ情報を転送するための1つのUEに専用のポイントツーポイント双方向チャネルである専用トラフィックチャネル(DTCH)を含む。論理トラフィックチャネルはまた、トラフィックデータを送信するためのポイントツーマルチポイントDLチャネルであるマルチキャストトラフィックチャネル(MTCH)を含む。
【００６１】
トランスポートチャネルは、DLとULとに分類される。DLトランスポートチャネルは、ブロードキャストチャネル(BCH)と、ダウンリンク共有データチャネル(DL-SDCH)と、UE節電(DRXサイクルがネットワークによってUEに示される)をサポートするためのページングチャネル(PCH)とを含み、これらのチャネルは、セル全体にわたってブロードキャストされ、他の制御/トラフィックチャネル用に使用され得るPHYリソースにマッピングされる。ULトランスポートチャネルは、ランダムアクセスチャネル(RACH)、要求チャネル(REQCH)、アップリンク共有データチャネル(UL-SDCH)、および複数のPHYチャネルを含む。PHYチャネルは、DLチャネルとULチャネルとのセットを含む。
【００６２】
DL  PHYチャネルは、たとえば、共通パイロットチャネル(CPICH)、同期チャネル(SCH)、共通制御チャネル(CCCH)、共有DL制御チャネル(SDCCH)、マルチキャスト制御チャネル(MCCH)、共有UL割当てチャネル(SUACH)、肯定応答チャネル(ACKCH)、DL物理共有データチャネル(DL-PSDCH)、UL電力制御チャネル(UPCCH)、ページングインジケータチャネル(PICH)、および負荷インジケータチャネル(LICH)を含む。
【００６３】
UL  PHYチャネルは、たとえば、物理ランダムアクセスチャネル(PRACH)、チャネル品質インジケータチャネル(CQICH)、肯定応答チャネル(ACKCH)、アンテナサブセットインジケータチャネル(ASICH)、共有要求チャネル(SREQCH)、UL物理共有データチャネル(UL-PSDCH)、およびブロードバンドパイロットチャネル(BPICH)を含む。
【００６４】
他の用語/構成要素は、3G  3rd  Generation、3GPP  3rd  Generation  Partnership  Project、ACLR隣接チャネルリーク比、ACPR隣接チャネル電力比、ACS隣接チャネル選択度、ADS  Advanced  Design  System、AMC適応変調コーディング、A-MPR追加最大電力低減、ARQ自動再送要求、BCCHブロードキャスト制御チャネル、BTS送受信基地局、CDD巡回遅延ダイバーシティ、CCDF相補累積分布関数、CDMA符号分割多元接続、CFI制御フォーマットインジケータ、Co-MIMO協働MIMO、CP巡回プレフィックス、CPICH共通パイロットチャネル、CPRI共通公衆無線インターフェース、CQIチャネル品質インジケータ、CRC巡回冗長検査、DCIダウンリンク制御インジケータ、DFT離散フーリエ変換、DFT-SOFDM離散フーリエ変換拡散OFDM、DLダウンリンク(基地局-加入者送信)、DL-SCHダウンリンク共有チャネル、D-PHY  500Mbps物理レイヤ、DSPデジタル信号処理、DT開発ツールセット、DVSAデジタルベクトル信号分析、EDA電子設計オートメーション、E-DCH拡張専用チャネル、E-UTRAN  Evolved  UMTS地上波無線アクセスネットワーク、eMBMS  Evolvedマルチメディアブロードキャストマルチキャストサービス、eNB  EvolvedノードB、EPC  Evolvedパケットコア、EPREリソース要素当たりのエネルギー、ETSI  European  Telecommunications  Standards  Institute、E-UTRA  Evolved  UTRA、E-UTRAN  Evolved  UTRAN、EVMエラーベクトル振幅、およびFDD周波数分割複信を含む。
【００６５】
さらに他の用語は、FFT高速フーリエ変換、FRC固定基準チャネル、FS1フレーム構造タイプ1、FS2フレーム構造タイプ2、GSM  Global  System  for  Mobile  Communications、HARQハイブリッド自動再送要求、HDLハードウェア記述言語、HI  HARQインジケータ、HSDPA高速ダウンリンクパケットアクセス、HSPA高速パケットアクセス、HSUPA高速アップリンクパケットアクセス、IFFT逆FFT、IOT相互運用性試験、IPインターネットプロトコル、LO局部発振器、LTE  Long  Term  Evolution、MAC媒体アクセス制御、MBMSマルチメディアブロードキャストマルチキャストサービス、MBSFN  Multicast/broadcast  over  single-frequency  network、MCHマルチキャストチャネル、MIMO多入力多出力、MISO多入力単出力、MMEモビリティ管理エンティティ、MOP最大出力パワー、MPR最大電力低減、MU-MIMOマルチユーザMIMO、NAS非アクセス階層、OBSAIオープン基地局アーキテクチャインターフェース、OFDM直交周波数分割多重、OFDMA直交周波数分割多元接続、PAPRピーク対平均電力比、PARピーク対平均値比、PBCH物理ブロードキャストチャネル、P-CCPCH  1次共通制御物理チャネル、PCFICH物理制御フォーマットインジケータチャネル、PCHページングチャネル、PDCCH物理ダウンリンク制御チャネル、PDCPパケットデータコンバージェンスプロトコル、PDSCH物理ダウンリンク共有チャネル、PHICH物理ハイブリッドARQインジケータチャネル、PHY物理レイヤ、PRACH物理ランダムアクセスチャネル、PMCH物理マルチキャストチャネル、PMIプリコーディング行列インジケータ、P-SCH  1次同期信号、PUCCH物理アップリンク制御チャネル、およびPUSCH物理アップリンク共有チャネルを含む。
【００６６】
他の用語は、QAM直交振幅変調、QPSK  4位相シフトキーイング、RACHランダムアクセスチャネル、RAT無線アクセス技術、RBリソースブロック、RF無線周波数、RFDE  RF設計環境、RLC無線リンク制御、RMC基準測定チャネル、RNC無線ネットワークコントローラ、RRC無線リソース制御、RRM無線リソース管理、RS基準信号、RSCP受信信号符号パワー、RSRP基準信号受信電力、RSRQ基準信号受信品質、RSSI受信信号強度インジケータ、SAE  System  Architecture  Evolution、SAPサービスアクセスポイント、SC-FDMAシングルキャリア周波数分割多元接続、SFBC空間周波数ブロックコーディング、S-GWサービングゲートウェイ、SIMO単入力多出力、SISO単入力単出力、SNR信号対雑音比、SRSサウンディング基準信号、S-SCH  2次同期信号、SU-MIMOシングルユーザMIMO、TDD時分割複信、TDMA時分割多元接続、TR技術報告、TrCHトランスポートチャネル、TS技術仕様、TTA  Telecommunications  Technology  Association、TTI送信時間間隔、UCIアップリンク制御インジケータ、UEユーザ機器、ULアップリンク(加入者-基地局送信)、UL-SCHアップリンク共有チャネル、UMBウルトラモバイルブロードバンド、UMTSユニバーサル移動通信システム、UTRA汎用地上波無線アクセス、UTRAN汎用地上波無線アクセスネットワーク、VSAベクトル信号分析器、W-CDMA広帯域符号分割多元接続を含む。
【００６７】
本明細書では、様々な態様について、端末に関して説明したことに留意されたい。端末はまた、システム、ユーザデバイス、加入者ユニット、加入者局、移動局、モバイルデバイス、リモート局、リモート端末、アクセス端末、ユーザ端末、ユーザエージェント、またはユーザ機器と呼ばれることがある。ユーザデバイスは、セルラー電話、コードレス電話、セッション開始プロトコル(SIP)電話、ワイヤレスローカルループ(WLL)局、PDA、ワイヤレス接続機能を有するハンドヘルドデバイス、端末内のモジュール、ホストデバイス(たとえば、PCMCIAカード)に取り付けることができるかまたはホストデバイス内に組み込むことができるカード、あるいはワイヤレスモデムに接続された他の処理デバイスとすることができる。
【００６８】
さらに、標準的なプログラミングおよび/またはエンジニアリング技法を使用して、請求する主題の様々な態様を実装するようにコンピュータまたはコンピューティング構成要素を制御するためのソフトウェア、ファームウェア、ハードウェア、またはそれらの任意の組合せを生成する方法、装置、または製造品として請求する主題の態様を実装することができる。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気ストレージデバイス(たとえば、ハードディスク、フロッピー（登録商標）ディスク、磁気ストリップ...)、光ディスク(たとえば、コンパクトディスク(CD)、デジタル多用途ディスク(DVD)...)、スマートカード、およびフラッシュメモリデバイス(たとえば、カード、スティック、キードライブ...)を含むことができるが、これらに限定されない。さらに、ボイスメールを送信および受信する際またはセルラーネットワークなどのネットワークにアクセスする際に使用される搬送波など、搬送波を使用して、コンピュータ可読電子データを搬送することができることを諒解されたい。もちろん、本明細書で説明する範囲および趣旨から逸脱することなく、この構成に対して多数の改変を行うことができることを当業者ならば認識するであろう。
【００６９】
本出願で使用する「構成要素」、「モジュール」、「システム」、「プロトコル」などの用語は、ハードウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、および/またはコンピュータとすることができるが、これらに限定されない。例として、サーバ上で実行されるアプリケーションと、そのサーバの両方を構成要素とすることができる。1つまたは複数の構成要素がプロセスおよび/または実行スレッド内に常駐することができ、1つの構成要素を1つのコンピュータ上に配置し、および/または2つ以上のコンピュータ間に分散することができる。
【００７０】
以上の説明は、1つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む(include)」という用語は、発明を実施するための形態または特許請求の範囲のいずれかにおいて使用される限り、「含む(comprising)」という用語を採用すると請求項における移行語と解釈されるように「含む(comprising)」と同様に包括的なものとする。
【符号の説明】
【００７１】
100  システム
110  ワイヤレスネットワーク
110  ワイヤレス通信ネットワーク
120  基地局
120  ノードB
130  デバイス
130  UE
140  2次アクティブセットプロセッサ
150  (N個の)2次アクティブセット
154  2次アクティブセット生成器
160  ダウンリンク
170  アップリンク
200  図
210  アクティブセット定義への拡張
210  アクティブセット
220  2次アクティブセット
230  2次E-DCHアクティブセット
300  図
310  組成
310  構成
320  組成
320  構成
330  組成
330  構成
340  図
350  UE
360  ホットスポット
F1  周波数
F2  周波数
S1  セクタ
S2  セクタ
【図１】
0005330593.tif 000002
【図２】
0005330593.tif 000003
【図４】
0005330593.tif 000004
【図５】
0005330593.tif 000005
【図６】
0005330593.tif 000006
【図７】
0005330593.tif 000007
【図８】
0005330593.tif 000008
【図１０】
0005330593.tif 000009
【図１１】
0005330593.tif 000010
【図３】
0005330593.tif 000011
【図９】
0005330593.tif 000012